(57)【特許請求の範囲】
【請求項１】
真空断熱構造を有する容器本体と、
前記容器本体の胴部に対して着脱自在に被せられる着脱式カバーと、備え、
前記着脱式カバーは、前記容器本体の胴部に巻き付けられるシート状のカバー部材と、
前記カバー部材の周方向の一端側と他端側とを着脱自在に接続する接続部材と、を有し、
前記容器本体は、前記胴部の軸方向の一端側に底部材と、他端側に肩部材とが取り付けられた構造を有し、
前記底部材及び前記肩部材は、前記胴部の外径よりも拡径された拡径部を構成しており、
前記カバー部材の厚みは、前記胴部と前記底部材及び前記肩部材との間に形成される段差の高さとほぼ同じであり、
前記底部材と前記肩部材との間で前記胴部の外周面を前記カバー部材が覆うことによって、前記底部材及び前記肩部材の外周面と前記カバー部材の外周面とがほぼ面一となることを特徴とするカバー付き携帯型飲料容器。
【請求項２】
前記接続部材は、面ファスナーであることを特徴とする請求項１に記載のカバー付き携帯型飲料容器。
【請求項３】
真空断熱構造を有する容器本体と、
前記容器本体の胴部に対して着脱自在に被せられる着脱式カバーと、備え、
前記着脱式カバーは、前記容器本体の胴部の外径と同じかそれよりも小さい内径を有して、少なくとも周方向に伸縮自在とされた筒状のカバー部材を有し、
前記容器本体は、前記胴部の軸方向の一端側に底部材と、他端側に肩部材とが取り付けられた構造を有し、
前記底部材及び前記肩部材は、前記胴部の外径よりも拡径された拡径部を構成しており、
前記カバー部材の厚みは、前記胴部と前記底部材及び前記肩部材との間に形成される段差の高さとほぼ同じであり、
前記底部材と前記肩部材との間で前記胴部の外周面を前記カバー部材が覆うことによって、前記底部材及び前記肩部材の外周面と前記カバー部材の外周面とがほぼ面一となることを特徴とするカバー付き携帯型飲料容器。
【請求項４】
前記カバー部材は、断熱性及びクッション性を有することを特徴とする請求項１〜３の何れか一項に記載のカバー付き携帯型飲料容器。
【請求項５】
前記カバー部材の前記胴部と対向する側の面に滑止め層が設けられていることを特徴とする請求項１〜４の何れか一項に記載のカバー付き携帯型飲料容器。
【請求項６】
前記滑止め層は、前記カバー部材の周方向に間隔を設けてストライプ状に形成されていることを特徴とする請求項５に記載のカバー付き携帯型飲料容器。
【請求項７】
前記容器本体の内容量が１〜３Ｌであることを特徴とする請求項１〜６の何れか一項に記載のカバー付き携帯型飲料容器。
【請求項８】
前記容器本体の上部開口部を閉塞するキャップユニットを備え、
前記キャップユニットには、飲み口が開閉自在に設けられていることを特徴とする請求項１〜７の何れか一項に記載のカバー付き携帯型飲料容器。
【請求項９】
前記容器本体には、ハンドルが取り付けられていることを特徴とする請求項１〜８の何れか一項に記載のカバー付き携帯型飲料容器。
【発明の詳細な説明】
【技術分野】
【０００１】
本発明は、カバー付き携帯型飲料容器に関する。
【背景技術】
【０００２】
例えば、真空断熱構造を有する容器本体（いわゆる魔法瓶）によって保温・保冷機能を持たせた携帯型飲料容器（いわゆる水筒）がある。容器本体は、例えばステンレス鋼等からなる有底筒状の外容器及び内容器を有し、外容器の内側に内容器を収容した状態で互いの口元部を接合した二重構造の容器により構成されている。また、外容器と内容器との間には、真空断熱層が設けられている。
【０００３】
ところで、上述した携帯型飲料容器の中でも、比較的サイズ（容量）の小さい（例えば０．５〜１Ｌ程度の）携帯型飲料容器では、容器本体を収容する有底筒状のカバー（ポーチ）によって、容器本体を保護したり、持ち歩き易くしたりすることが行われている（例えば、特許文献１，２を参照。）。
【０００４】
これに対して、比較的サイズ（容量）が大きい（例えば２Ｌ程度の）携帯型飲料容器では、カバーが大きくなり過ぎてしまうため、カバーを設けずに容器本体に取り付けられたハンドルを持って持ち歩くものが一般的である。
【０００５】
しかしながら、このような大容量の携帯型飲料容器では、例えば屋外などの直射日光の当たる場所に長時間置いた場合、容器本体が持てなくなるほど容器本体（外容器）の表面が熱くなることがあった。また、容器本体の表面温度が上昇することによって、口元からの伝熱により表面の温度が内容器内に伝わり、保冷性能が悪くなってしまうことがあった。
【先行技術文献】
【特許文献】
【０００６】
【特許文献１】特開２０００−１４２７８２号公報
【特許文献２】特開２００５−９５２４９号公報
【発明の概要】
【発明が解決しようとする課題】
【０００７】
本発明は、このような従来の事情に鑑みて提案されたものであり、大容量の携帯型飲料容器に対して好適に用いられる着脱式カバーが取り付けられたカバー付き携帯型飲料容器を提供することを目的とする。
【課題を解決するための手段】
【０００８】
上記目的を達成するために、本発明は以下の手段を提供する。
〔１〕  真空断熱構造を有する容器本体と、
前記容器本体の胴部に対して着脱自在に被せられる着脱式カバーと、備え、
前記着脱式カバーは、前記容器本体の胴部に巻き付けられるシート状のカバー部材と、
前記カバー部材の周方向の一端側と他端側とを着脱自在に接続する接続部材と、を有し、
前記容器本体は、前記胴部の軸方向の一端側に底部材と、他端側に肩部材とが取り付けられた構造を有し、
前記底部材及び前記肩部材は、前記胴部の外径よりも拡径された拡径部を構成しており、
前記カバー部材の厚みは、前記胴部と前記底部材及び前記肩部材との間に形成される段差の高さとほぼ同じであり、
前記底部材と前記肩部材との間で前記胴部の外周面を前記カバー部材が覆うことによって、前記底部材及び前記肩部材の外周面と前記カバー部材の外周面とがほぼ面一となることを特徴とするカバー付き携帯型飲料容器。
〔２〕  前記接続部材は、面ファスナーであることを特徴とする前記〔１〕に記載のカバー付き携帯型飲料容器。
〔３〕  真空断熱構造を有する容器本体と、
前記容器本体の胴部に対して着脱自在に被せられる着脱式カバーと、備え、
前記着脱式カバーは、前記容器本体の胴部の外径と同じかそれよりも小さい内径を有して、少なくとも周方向に伸縮自在とされた筒状のカバー部材を有し、
前記容器本体は、前記胴部の軸方向の一端側に底部材と、他端側に肩部材とが取り付けられた構造を有し、
前記底部材及び前記肩部材は、前記胴部の外径よりも拡径された拡径部を構成しており、
前記カバー部材の厚みは、前記胴部と前記底部材及び前記肩部材との間に形成される段差の高さとほぼ同じであり、
前記底部材と前記肩部材との間で前記胴部の外周面を前記カバー部材が覆うことによって、前記底部材及び前記肩部材の外周面と前記カバー部材の外周面とがほぼ面一となることを特徴とするカバー付き携帯型飲料容器。
〔４〕  前記カバー部材は、断熱性及びクッション性を有することを特徴とする請求項１〜３の何れか一項に記載のカバー付き携帯型飲料容器。
〔５〕  前記カバー部材の前記胴部と対向する側の面に滑止め層が設けられていることを特徴とする〔１〕〜〔４〕の何れか一項に記載のカバー付き携帯型飲料容器。
〔６〕  前記滑止め層は、前記カバー部材の周方向に間隔を設けてストライプ状に形成されていることを特徴とする〔５〕に記載のカバー付き携帯型飲料容器。
〔７〕  前記容器本体の内容量が１〜３Ｌであることを特徴とする前記〔１〕〜〔６〕の何れか一項に記載の携帯型飲料容器。
〔８〕  前記容器本体の上部開口部を閉塞するキャップユニットを備え、
前記キャップユニットには、飲み口が開閉自在に設けられていることを特徴とする前記〔１〕〜〔７〕の何れか一項に記載のカバー付き携帯型飲料容器。
〔９〕  前記容器本体には、ハンドルが取り付けられていることを特徴とする前記〔１〕〜〔８〕の何れか一項に記載のカバー付き携帯型飲料容器。
【発明の効果】
【０００９】
以上のように、本発明によれば、大容量の携帯型飲料容器に対して好適に用いられる着脱式カバーが取り付けられたカバー付き携帯型飲料容器を提供することが可能である。
【図面の簡単な説明】
【００１０】
【図１】本発明の第１の実施形態に係る着脱式カバーが取り付けられたカバー付き携帯型飲料容器の外観を示す斜視図である。
【図２】図１に示す携帯型飲料容器の外観を示す斜視図である。
【図３】図１に示す着脱式カバーの外観を示す斜視図である。
【図４】（Ａ）は図３に示す着脱式カバーを外面側から見た平面図、（Ｂ）は図３に示す着脱式カバーを内面側から見た平面図である。
【図５】本発明の第２の実施形態に係る着脱式カバーが取り付けられたカバー付き携帯型飲料容器の外観を示す斜視図である。
【図６】図５に示す着脱式カバーの外観を示す斜視図である。
【発明を実施するための形態】
【００１１】
以下、本発明の実施形態について、図面を参照して詳細に説明する。
（第１の実施形態）
先ず、本発明の第１の実施形態として、例えば図１に示す着脱式カバー１Ａが取り付けられたカバー付き携帯型飲料容器１００Ａについて説明する。なお、図１は、着脱式カバー１Ａが取り付けられたカバー付き携帯型飲料容器１００Ａの外観を示す斜視図である。
【００１２】
カバー付き携帯型飲料容器１００Ａは、図１に示すように、携帯型飲料容器１００と、携帯型飲料容器１００に着脱自在に取り付けられる着脱式カバー１Ａとを備えている。
【００１３】
本実施形態の携帯型飲料容器１００は、比較的サイズ（容量）が大きい保冷機能を有したタイプであり、その内容量は約２Ｌである。大容量の携帯型飲料容器としては、例えば１〜３Ｌ程度のものを挙げることができる。本実施形態の着脱式カバー１Ａは、このような大容量の携帯型飲料容器１００に対して好適に用いられる。
【００１４】
携帯型飲料容器１００の構成について図２を参照して説明する。
なお、図２は、携帯型飲料容器１００の外観を示す斜視図である。すなわち、図２に示す携帯型飲料容器１００は、図１に示すカバー付き携帯型飲料容器１００Ａから着脱式カバー１Ａを取り外した状態を示している。また、図２中の囲み部分には、線分Ａ−Ａ’による携帯型飲料容器１００の要部断面図を示す。
【００１５】
携帯型飲料容器１００は、図２示すように、容器本体１０１と、キャップユニット１０２とを備えている。
【００１６】
容器本体１０１は、真空断熱構造を有している。具体的に、この容器本体１０１は、例えばステンレス等からなる有底筒状の外容器１０１ａ及び内容器１０１ｂを有し、外容器１０１ａの内側に内容器１０１ｂを収容した状態で互いの口元部を接合した二重構造の容器により構成されている。また、外容器１０１ａと内容器１０１ｂとの間には、真空断熱層１０１ｃが設けられている。真空断熱層１０１ｃは、例えば、高真空（１０００万分の１気圧以下）に減圧（真空引き）されたチャンバー内で、外容器１０１ａの底面中央部に設けられた脱気孔を塞ぐことによって形成することができる。なお、容器本体１０１の外周面には、塗装や印刷等が施されていてもよい。
【００１７】
携帯型飲料容器１００は、このような真空断熱構造を有する容器本体１０１によって、容器本体１０１に収容された飲料物（内容物）を保冷することが可能となっている。なお、携帯型飲料容器の中には、真空断熱構造を有する容器本体によって、保冷機能の他にも、保温機能を持たせたものがある。
【００１８】
容器本体１０１は、円筒状の胴部１０１Ａを有し、この胴部１０１Ａの軸方向の一端（下端）側に底部材１０３と、他端（上端）側に肩部材１０４とが取り付けられた補強構造を有している。底部材１０３は、容器本体１０１の底部を被覆した状態で設けられている。肩部材１０４は、容器本体１０１の胴部１０１Ａの上端から上方に向かって漸次縮径された肩部と、肩部の上端から筒状に起立した口頸部とを被覆した状態で設けられている。また、底部材１０３及び肩部材１０４は、胴部１０１Ａの外径よりも拡径された拡径部を構成している。
【００１９】
容器本体１０１には、ハンドル１０５が取り付けられている。ハンドル１０５は、肩部材１０４の互いに対向する側面において上下方向に回動自在に支持された一対のアーム部１０５ａ，１０５ａと、一対のアーム部１０５ａ，１０５ａの間を連結するアーチ部１０５ｂとを有している。また、アーチ部１０５ｂには、滑り止めとなるグリップ部１０５ｃが設けられている。
【００２０】
なお、上述した容器本体１０１に取り付けられる底部材１０３、肩部材１０４及びハンドル１０５には、耐熱性を有し、高強度且つ軽量な合成樹脂材料として、例えばポリプロピレン（ＰＰ）などが用いられている。また、グリップ部１０５ｃには、例えばエラストマーなどが用いられている。
【００２１】
キャップユニット１０２は、容器本体１０１の上部開口部１０１ｄを閉塞するものであり、容器本体１０１の口頸部（肩部材１０４）に螺合により取り付けられている。また、キャップユニット１０２の内側には、止水パッキン（図示せず。）が着脱自在に取り付けられている。止水パッキンは、容器本体１０１とキャップユニット１０２との間を密閉するリング状のシール部材である。なお、止水パッキンには、例えばシリコーンゴム等の耐熱性を有するゴムやエラストマーなどが用いられている。
【００２２】
キャップユニット１０２の上部には、略円筒状の飲み口（図示せず。）を開閉する蓋１０６がヒンジ部を介して回動自在に取り付けられている。蓋１０６は、ヒンジ部に設けられたバネ部材によって開方向に付勢されている。キャップユニット１０２には、蓋１０６が飲み口を閉塞する位置にて蓋１０６を固定する蓋ロック機構１０７が設けられている。蓋ロック機構１０７では、押ボタン１０７ａを押圧操作することによって、蓋１０６のロック状態を解除し、バネ部材の付勢により蓋１０６を開方向に回動させることが可能となっている。また、蓋ロック機構１０７には、押ボタン１０７ａの押圧操作を規制する位置と、この規制を解除する位置との間でスライドするストッパー１０７ｂが設けられている。これにより、蓋ロック機構１０７では、押ボタン１０７ａの不要な操作により蓋１０６が開くことを防ぐことが可能となっている。
【００２３】
蓋１０６の内側には、蓋パッキン（図示せず。）が着脱自在に取り付けられている。蓋パッキンは、飲み口と蓋１０６との間を密閉する栓状のシール部材である。なお、蓋パッキンには、止水パッキンと同じ材質のものが用いられている。
【００２４】
なお、キャップユニット１０２としては、上述した飲み口が設けられた形態に限らず、中栓及びコップが設けられた形態であってもよい。また、キャップユニット１０２には、上述した容器本体１０１に取り付けられる底部材１０３、肩部材１０４及びハンドル１０５と同様の合成樹脂材料が用いられている。
【００２５】
着脱式カバー１Ａの構成について図３、図４（Ａ）及び図４（Ｂ）を参照して説明する。
なお、図３は、着脱式カバー１Ａの外観を示す斜視図である。図４（Ａ）は、着脱式カバー１Ａを一面（外面）側から見た平面図である。図４（Ｂ）は、着脱式カバー１Ａを他面（内面）側から見た平面図である。
【００２６】
着脱式カバー１Ａは、図３、図４（Ａ）及び図４（Ｂ）に示すように、容器本体１０１の胴部１０１Ａに対して着脱自在に被せられるものである。具体的に、この着脱式カバー１Ａは、容器本体１０１の胴部１０１Ａに巻き付けられるシート状のカバー部材２Ａと、カバー部材２Ａの周方向の一端側と他端側とを着脱自在に接続する接続部材３とを備えている。
【００２７】
カバー部材２Ａは、胴部１０１Ａの表面を断熱する機能と、容器本体１０１の胴部１０１Ａを保護する機能とを有している。このため、カバー部材２Ａは、断熱性及びクッション性を有することが好ましい。
【００２８】
カバー部材２Ａは、平面視で矩形（長方形）状に形成された単層又は複層のシート体からなる。本実施形態において、カバー部材２Ａは、ポリエステル布、エチレン・酢酸ビニル共重合（ＥＶＡ）発泡シート、ポリエステル布の３層構造を有し、ＥＶＡ発泡シートの両面にポリエステル布が貼り付けられた構造を有している。また、カバー部材２Ａの縁部には、パイピング（トリミング）が施されている。なお、このようなパイピング（トリミング）については、省略することも可能である。
【００２９】
ＥＶＡ発泡シートは、発泡体としてカバー部材２Ａに断熱性及びクッション性を付加することができる。また、カバー部材２Ａは、中間層となるＥＶＡ発泡シートの両面に、外面層及び内面層となるポリエステル布を貼り付けることで、ＥＶＡ発泡シートを保護すると共に、濡れたときの速乾性を付加することができる。すなわち、このカバー部材２Ａは、汚れたときに水洗いが容易であり、濡れたときでも乾きを良くすることができる。さらに、このカバー部材２Ａの耐久性の向上を図ることができる。
【００３０】
なお、カバー部材２Ａの材質については、上記実施形態のものに必ずしも限定されるものではなく、適宜変更を加えることが可能である。具体的に、カバー部材２Ａが単層からなる場合は、例えば、ポリエステル樹脂、ナイロン樹脂、合皮レザー、ポリプロピレン樹脂、シリコーン樹脂などの発泡体を用いることができる。一方、カバー部材２Ａが複層からなる場合は、上述した発泡体を積層したものや、発泡体の片面又は両面に、例えば、布やシートを貼り付けたもの、外面層としてエナメル塗装を施したものなどを用いることができる。また、断熱性及びクッション性を有する材料であれば、上述した発泡体以外の材料を用いることができる。なお、カバー部材２Ａの外面には、印刷等が施されていてもよい。
【００３１】
カバー部材２Ａの厚みについては、１〜３ｍｍとすることが好ましい。カバー部材２Ａの厚みが薄過ぎると、断熱性、クッション性、耐久性などが不十分となる。一方、カバー部材２Ａの厚みが厚過ぎると、胴部１０１Ａに巻き付けづらくなり、胴部１０１Ａとの密着性が悪くなる。なお、本実施形態におけるカバー部材２Ａの厚みは、約２ｍｍであり、胴部１０１Ａと底部材１０３及び肩部材１０４との間に形成される段差の高さとほぼ同じである。
【００３２】
カバー部材２Ａの胴部１０１Ａと対向する側の面（内面）には、滑止め層４Ａが設けられている。滑止め層４Ａは、カバー部材２Ａの周方向に間隔を設けてストライプ状に形成されている。また、滑止め層４Ａの各ストライプは、カバー部材２Ａの周方向に対して所定の角度（例えば４５°）で傾斜した方向に延長して設けられている。これにより、カバー部材２Ａは、胴部１０１Ａに巻き付けられた際に、より少ない材料で胴部１０１Ａの全周に亘って効率良く滑り止め効果を得ることができる。
【００３３】
滑止め層４Ａについては、例えばシリコーン樹脂を印刷することにより形成することができる。また、カバー部材２Ａが複層からなる場合は、カバー部材２Ａの内面層を発泡ポリウレタン樹脂で形成することにより、滑止め層４Ａとすることができる。また、滑止め層４Ａとして、カバー部材２Ａの内面に例えばシリコーンゴムやエラストマーなどを全面又は部分的に形成してもよい。また、滑止め層４Ａは、上述したストライプの向き（角度）を適宜変更することができる。さらに、滑止め層４Ａは、上述したストライプ状に限らず、例えば格子状や、ドット状、島状などであってもよい。
【００３４】
接続部材３は、カバー部材２Ａの周方向の一端側と他端側との重ね合わせ部分に設けられた面ファスナーである。面ファスナーは、カバー部材２Ａの外面側の重ね合わせ部分に沿って取り付けられたテープ状のループ面部材３ａと、カバー部材２Ａの内面側の重ね合わせ部分に沿って取り付けられたテープ状のフック面部材３ｂとを有している。
【００３５】
接続部材３は、ループ面部材３ａとフック面部材３ｂとを互いに重ね合わせることで、カバー部材２Ａの周方向の一端側と他端側とを接続する。これにより、カバー部材２Ａを筒状のまま保持することができる。なお、接続部材３としては、上述した面ファスナーの他にも、例えば、スライドファスナーや、スナップボタン、バックルなどを用いることができる。また、接続部材３は、カバー部材２Ａの重ね合わせ部分に全体的に設けられている構成に限らず、部分的に設けられている構成であってもよい。
【００３６】
以上のような構成を有する脱着式カバー１Ａは、図１に示すように、容器本体１０１の胴部１０１Ａに対して着脱自在に被せられる。脱着式カバー１Ａは、胴部１０１Ａにカバー部材２Ａを巻き付けながらループ面部材３ａとフック面部材３ｂとを互いに重ね合わせることで、携帯型飲料容器１００に容易に取り付けることが可能である。一方、脱着式カバー１Ａは、ループ面部材３ａからフック面部材３ｂを引き剥がすことで、携帯型飲料容器１００から容易に取り外すことが可能である。さらに、脱着式カバー１Ａは、シート状に展開できるため、有底筒状のカバーよりも、汚れたときに洗濯が容易であり、嵩張ることがないため収納性も良好である。
【００３７】
カバー付き携帯型飲料容器１００Ａでは、脱着式カバー１Ａによって容器本体１０１の胴部１０１Ａを保護すると共に、胴部１０１Ａの表面を断熱することが可能である。したがって、このカバー付き携帯型飲料容器１００Ａでは、例えば屋外などの直射日光の当たる場所に長時間置いた場合でも、容器本体１０１の胴部１０１Ａが持てなくなるほど熱くなるといったことを防ぐことができる。また、容器本体１０１の表面温度が上昇することによって、保冷性能が悪くなるといったことを抑制することができる。
【００３８】
また、カバー付き携帯型飲料容器１００Ａでは、脱着式カバー１Ａ（カバー部材２Ａ）が容器本体１０１の胴部１０１Ａのみを覆う構成である。この構成の場合、有底筒状のカバーを取り付ける場合よりも、携帯型飲料容器１００を正立させたときの安定性を確保することができる。また、有底筒状のカバーを取り付けた場合、カバーの底面が汚れたり、傷ついたりすることがあるが、そのような状況を防ぐことができる。特に、大容量の携帯型飲料容器１００では、比較的サイズ（容量）の小さい（例えば０．５〜１Ｌ程度の）携帯型飲料容器に比べて重量が大きくなるため、地面等に起立した状態で放置する場合も多く、特に有効である。
【００３９】
また、カバー付き携帯型飲料容器１００Ａでは、底部材１０３と肩部材１０４との間で胴部１０１Ａの外周面を着脱式カバー１Ａ（カバー部材２Ａ）が覆う構成となっている。この構成の場合、容器本体１０１の胴部１０１Ａよりも拡径された底部材１０３及び肩部材１０４（拡径部）によって、着脱式カバー１Ａ（カバー部材２Ａ）の胴部１０１Ａに対する軸方向（上下方向）への移動を規制することができる。
【００４０】
したがって、このカバー付き携帯型飲料容器１００Ａでは、上述した滑止め層４Ａによる滑り止め効果と共に、容器本体１０１の胴部１０１Ａに被せられた脱着式カバー１Ａ（カバー部材２Ａ）の位置ずれを防ぐことができる。また、容器本体１０１の胴部１０１Ａと着脱式カバー１Ａ（カバー部材２Ａ）との間に塵埃等が入り込みにくい構造とすることができる。
【００４１】
さらに、カバー付き携帯型飲料容器１００Ａでは、着脱式カバー１Ａ（カバー部材２Ａ）が底部材１０３及び肩部材１０４の外径と略一致した外径を有している。この構成の場合、底部材１０３及び肩部材１０４の外周面と着脱式カバー１Ａ（カバー部材２Ａ）の外周面とがほぼ面一となるため、見栄えを良くすることが可能である。
【００４２】
（第２の実施形態）
次に、本発明の第２の実施形態として、例えば図５に示す着脱式カバー１Ｂが取り付けられたカバー付き携帯型飲料容器１００Ｂについて説明する。なお、図５は、着脱式カバー１Ｂが取り付けられたカバー付き携帯型飲料容器１００Ｂの外観を示す斜視図である。
【００４３】
カバー付き携帯型飲料容器１００Ｂは、図５に示すように、上記着脱式カバー１Ａの代わりに、着脱式カバー１Ｂを備えている。すなわち、カバー付き携帯型飲料容器１００Ｂは、上記携帯型飲料容器１００に対して着脱式カバー１Ｂが着脱自在に取り付けられた構成である以外は、カバー付き携帯型飲料容器１００Ａと基本的に同じ構成である。
【００４４】
したがって、以下の説明では、上記携帯型飲料容器１００の説明を省略し、着脱式カバー１Ｂの構成について図６を参照して説明する。なお、図６は、着脱式カバー１Ｂの外観を示す斜視図である。
【００４５】
着脱式カバー１Ｂは、図６に示すように、容器本体１０１の胴部１０１Ａに対して着脱自在に被せられるものである。具体的に、この着脱式カバー１Ｂは、容器本体１０１の胴部１０１Ａの外径と同じかそれよりも小さい内径を有して、少なくとも周方向に伸縮自在とされた筒状のカバー部材２Ｂを備えている。
【００４６】
カバー部材２Ｂは、容器本体１０１の胴部１０１Ａを保護する機能と、胴部１０１Ａの表面を断熱する機能とを有している。このため、カバー部材２Ｂは、上述した伸縮性と共に、断熱性及びクッション性を有することが好ましい。
【００４７】
カバー部材２Ｂは、平面視で矩形（長方形）状に形成された単層又は複層のシート体を筒状に加工（縫製）したものからなる。本実施形態において、カバー部材２Ｂは、ポリエステル布、スチレン・ブタジエンゴム（ＳＢＲ）発泡シート、ポリエステル布の３層構造を有し、ＳＢＲ発泡シートの両面にポリエステル布が貼り付けられた構造を有している。また、カバー部材２Ｂの縁部には、パイピング（トリミング）が施されている。なお、このようなパイピング（トリミング）については、省略することも可能である。
【００４８】
ＳＢＲ発泡シートは、伸縮性と共に、発泡体としてカバー部材２Ｂに断熱性及びクッション性を付加することができる。また、カバー部材２Ｂは、中間層となるＳＢＲ発泡シートの両面に、外面層及び内面層となるポリエステル布を貼り付けることで、ＥＶＡ発泡シートを保護すると共に、濡れたときの速乾性を付加することができる。すなわち、このカバー部材２Ｂは、汚れたときに水洗いが容易であり、濡れたときでも乾きを良くすることができる。さらに、このカバー部材２Ｂの耐久性の向上を図ることができる。
【００４９】
なお、カバー部材２Ｂの材質については、上記実施形態のものに必ずしも限定されるものではなく、適宜変更を加えることが可能である。例えば、カバー部材２Ｂが単層からなる場合は、例えば、ポリエステル樹脂、ナイロン樹脂、合皮レザー、ポリプロピレン樹脂、シリコーン樹脂などの発泡体を用いることができる。一方、カバー部材２Ｂが複層からなる場合は、上述した発泡体を積層したものや、発泡体の片面又は両面に、例えば、布やシートを貼り付けたもの、外面層としてエナメル塗装を施したものなどを用いることができる。また、伸縮性、断熱性及びクッション性を有する材料であれば、上述した発泡体以外の材料を用いることができる。なお、カバー部材２Ｂの外面には、印刷等が施されていてもよい。
【００５０】
カバー部材２Ｂの厚みについては、１〜３ｍｍとすることが好ましい。カバー部材２Ｂの厚みが薄過ぎると、断熱性、クッション性、耐久性などが不十分となる。一方、カバー部材２Ｂの厚みが厚過ぎると、伸縮性が悪くなり、胴部１０１Ａに被せることが難しくなる。なお、本実施形態におけるカバー部材２Ｂの厚みは、約２ｍｍである。
【００５１】
カバー部材２Ｂの胴部１０１Ａと対向する側の面（内面）には、滑止め層４Ｂが設けられている。滑止め層４Ｂは、カバー部材２Ｂの周方向に間隔を設けてストライプ状に形成されている。また、滑止め層４Ｂの各ストライプは、カバー部材２Ｂの周方向に対して直交する（９０°）方向に延長して設けられている。これにより、カバー部材２Ｂは、胴部１０１Ａに被せられた際に、より少ない材料で胴部１０１Ａの全周に亘って効率良く滑り止め効果を得ることができる。なお、滑止め層４Ｂ、上述した滑止め層４Ａと同様の材料を用いて、上述した滑止め層４Ａと同様に種々の変更を加えることが可能である。
【００５２】
カバー部材２Ｂは、周方向の一端と他端とを筒状に縫製する際に、伸縮性を良くするため、千鳥縫いによって縫い合わされている。また、パイピング（トリミング）についても同様に、千鳥縫いによって伸縮性を良くしている。
【００５３】
以上のような構成を有する脱着式カバー１Ｂは、図５に示すように、容器本体１０１の胴部１０１Ａに対して着脱自在に被せられる。脱着式カバー１Ｂは、カバー部材２Ｂを周方向に伸ばしながらカバー部材２Ｂの内側に容器本体１０１を通すことで、携帯型飲料容器１００に容易に取り付けることが可能である。一方、脱着式カバー１Ｂは、カバー部材２Ｂを周方向に伸ばしながらカバー部材２Ｂの内側から容器本体１０１を抜き取ることで、携帯型飲料容器１００から容易に取り外すことが可能である。さらに、脱着式カバー１Ｂは、筒状のため、有底筒状のカバーよりも、汚れたときに洗濯が容易であり、嵩張ることがないため収納性も良好である。
【００５４】
カバー付き携帯型飲料容器１００Ｂでは、脱着式カバー１Ｂを容器本体１０１の胴部１０１Ａに被せることによって、上記カバー付き携帯型飲料容器１００Ｂと同様の効果を得ることができる。すなわち、脱着式カバー１Ｂによって容器本体１０１の胴部１０１Ａを保護すると共に、胴部１０１Ａの表面を断熱することが可能である。したがって、このカバー付き携帯型飲料容器１００Ｂでは、例えば屋外などの直射日光の当たる場所に長時間置いた場合でも、容器本体１０１の胴部１０１Ａが持てなくなるほど熱くなるといったことを防ぐことができる。また、容器本体１０１の表面温度が上昇することによって、保冷性能が悪くなるといったことを抑制することができる。
【００５５】
また、カバー付き携帯型飲料容器１００Ｂでは、脱着式カバー１Ｂ（カバー部材２Ｂ）が容器本体１０１の胴部１０１Ａのみを覆う構成である。この構成の場合、有底筒状のカバーを取り付ける場合よりも、携帯型飲料容器１００を正立させたときの安定性を確保することができる。また、有底筒状のカバーを取り付けた場合、カバーの底面が汚れたり、傷ついたりすることがあるが、そのような状況を防ぐことができる。特に、大容量の携帯型飲料容器１００では、比較的サイズ（容量）の小さい（例えば０．５〜１Ｌ程度の）携帯型飲料容器に比べて重量が大きくなるため、地面等に起立した状態で放置する場合も多く、特に有効である。
【００５６】
また、カバー付き携帯型飲料容器１００Ｂでは、底部材１０３と肩部材１０４との間で胴部１０１Ａの外周面を着脱式カバー１Ｂ（カバー部材２Ｂ）が覆う構成となっている。この構成の場合、容器本体１０１の胴部１０１Ａよりも拡径された底部材１０３及び肩部材１０４（拡径部）によって、着脱式カバー１Ｂ（カバー部材２Ｂ）の胴部１０１Ａに対する軸方向（上下方向）への移動を規制することができる。
【００５７】
したがって、このカバー付き携帯型飲料容器１００Ｂでは、上述した滑止め層４Ｂによる滑り止め効果と共に、容器本体１０１の胴部１０１Ａに被せられた脱着式カバー１Ｂ（カバー部材２Ｂ）の位置ずれを防ぐことができる。また、容器本体１０１の胴部１０１Ａと着脱式カバー１Ｂ（カバー部材２Ｂ）との間に塵埃等が入り込みにくい構造とすることができる。
【００５８】
さらに、カバー付き携帯型飲料容器１００Ｂでは、着脱式カバー１Ｂ（カバー部材２Ｂ）が底部材１０３及び肩部材１０４の外径と略一致した外径を有している。この構成の場合、底部材１０３及び肩部材１０４の外周面と着脱式カバー１Ｂ（カバー部材２Ｂ）の外周面とがほぼ面一となるため、見栄えを良くすることが可能である。
【００５９】
以上のように、本発明によれば、真空断熱構造を有する容器本体を備えた携帯型飲料容器、その中でも比較的サイズ（容量）が大きい大容量の携帯型飲料容器に対して好適に用いられる着脱式カバー、並びにそのような着脱式カバーが取り付けられたカバー付き携帯型飲料容器を提供することが可能である。
【００６０】
なお、本発明は、上記実施形態のものに必ずしも限定されるものではなく、本発明の趣旨を逸脱しない範囲において種々の変更を加えることが可能である。
例えば、上記携帯型飲料容器１００については、上述した外観形状を有したものに限定されるものではなく、そのサイズや機能、デザイン等に合わせて、適宜変更を加えることが可能である。
【符号の説明】
【００６１】
１Ａ，１Ｂ…着脱式カバー  ２Ａ，２Ｂ…カバー部材  ３…接続部材（面ファスナー）  ４Ａ，４Ｂ…滑止め層  １００Ａ，１００Ｂ…カバー付き携帯型飲料容器  １００…携帯型飲料容器  １０１…容器本体  １０１Ａ…胴部  １０２…キャップユニット  １０３…底部材（一端側の拡径部）  １０４…肩部材（他端側の拡径部）  １０５…ハンドル  １０６…蓋  １０７…蓋ロック機構
【要約】
【課題】大容量の携帯型飲料容器に対して好適に用いられる着脱式カバー、並びにそのような着脱式カバーが取り付けられたカバー付き携帯型飲料容器を提供する。
【解決手段】携帯型飲料容器１００の真空断熱構造を有する容器本体の胴部に対して着脱自在に被せられる着脱式カバー１Ａであって、容器本体の胴部に巻き付けられるシート状のカバー部材２Ａと、カバー部材２Ａの周方向の一端側と他端側とを着脱自在に接続する接続部材３とを備える。
【選択図】図１【図１】
0005801935.tif 000002
【図２】
0005801935.tif 000003
【図３】
0005801935.tif 000004
【図４】
0005801935.tif 000005
【図５】
0005801935.tif 000006
【図６】
0005801935.tif 000007